(57)【要約】  メッセージＭ１、Ｍ２は、宛先装置のグループＧＤＮＳ、ＧＳＩＰ、ＧＮＴＰ内の可能な第１宛先装置ＤＮＳ１、ＳＩＰ１Ａ、ＳＩＰ１Ｂ、ＮＴＰ１および少なくとも１つの可能な第２宛先装置ＤＮＳ２、ＳＩＰ２、ＮＴＰ２に割り当てられているエニーキャストアドレスＡＣ１、ＡＣ２、ＡＣ３を含む。転送手段ＦＭは、宛先装置のグループＧＤＮＳ、ＧＳＩＰ、ＧＮＴＰから第１宛先装置ＤＮＳ１、ＳＩＰ１Ａ、ＳＩＰ１Ｂ、ＮＴＰ１または少なくとも１つの可能な第２宛先装置を割り当てデータＡＤによって決定することができる。割り当てデータＡＤは、送信装置ＵＤ１Ａ、ＵＤ１Ｂ、ＵＤ２と宛先装置とのリンクＬＩ１、ＬＩ２を含む。割り当てデータＡＤは、資格証明データＣＤ１、ＣＤ２を含み、かつ／または送信装置ＵＤ１Ａ、ＵＤ１Ｂ、ＵＤ２のユーザＵ１、Ｕ２の資格証明データＣＤ１、ＣＤ２によって決定される。
2009545902.tif 000002
【特許請求の範囲】
【請求項１】
アクセスネットワーク（ＡＮ）のための経路指定装置にして、送信装置（ＵＤ１Ａ、ＵＤ１Ｂ、ＵＤ２）によって送信されるメッセージ（Ｍ１、Ｍ２）に対する宛先装置を決定することができる転送手段（ＦＭ）を備え、前記メッセージ（Ｍ１、Ｍ２）が宛先装置のグループ（ＧＤＮＳ、ＧＳＩＰ、ＧＮＴＰ）内の可能な第１宛先装置（ＤＮＳ１、ＳＩＰ１Ａ、ＳＩＰ１Ｂ、ＮＴＰ１）および少なくとも１つの可能な第２宛先装置（ＤＮＳ２、ＳＩＰ２、ＮＴＰ２）に割り当てられているエニーキャストアドレス（ＡＣ１、ＡＣ２、ＡＣ３）を含む経路指定装置（ＲＯ）であって、前記転送手段（ＦＭ）が前記宛先装置のグループ（ＧＤＮＳ、ＧＳＩＰ、ＧＮＴＰ）から前記第１宛先装置（ＤＮＳ１、ＳＩＰ１Ａ、ＳＩＰ１Ｂ、ＮＴＰ１）または前記少なくとも１つの可能な第２宛先装置（ＤＮＳ２、ＳＩＰ２、ＮＴＰ２）を割り当てデータ（ＡＤ）によって決定することができ、前記割り当てデータ（ＡＤ）が前記送信装置（ＵＤ１Ａ、ＵＤ１Ｂ、ＵＤ２）と前記メッセージ（Ｍ１、Ｍ２）に対する前記宛先装置とのリンク（ＬＩ１、ＬＩ２）を含むことを特徴とし、さらに前記割り当てデータ（ＡＤ）が資格証明データ（ＣＤ１、ＣＤ２）を含みかつ／または前記送信装置（ＵＤ１Ａ、ＵＤ１Ｂ、ＵＤ２）のユーザ（Ｕ１、Ｕ２）の資格証明データ（ＣＤ１、ＣＤ２）によって決定されることを特徴とする、経路指定装置。
【請求項２】
前記転送手段（ＦＭ）が認証手続き中に前記ユーザ（Ｕ１、Ｕ２）の前記資格証明データ（ＣＤ１、ＣＤ２）を監視または受信することができる、請求項１に記載の経路指定装置。
【請求項３】
前記転送手段（ＦＭ）が認証、認可、アカウンティングプロトコルによって少なくとも部分的に前記割り当てデータ（ＡＤ）を提供するサーバ（ＲＡＤＳ）、特にＲＡＤＩＵＳサーバと通信することができる、請求項１に記載の経路指定装置。
【請求項４】
前記第１宛先装置（ＤＮＳ１、ＳＩＰ１Ａ、ＳＩＰ１Ｂ、ＮＴＰ１）が第１サービスプロバイダ（ＮＳＰ１）のネットワーク（ＲＮ１）の一部であって、前記少なくとも１つの第２宛先装置（ＤＮＳ２、ＳＩＰ２、ＮＴＰ２）が第２サービスプロバイダ（ＮＳＰ２）のネットワーク（ＲＮ２）の一部である、請求項１に記載の経路指定装置。
【請求項５】
前記割り当てデータ（ＡＤ）が前記第１サービスプロバイダ（ＮＳＰ１）に割り当てられた第１ルーティングテーブル（ＲＴ１）および前記第２サービスプロバイダ（ＮＳＰ２）に割り当てられた第２ルーティングテーブル（ＲＴ２）を含み、前記ルーティングテーブル（ＲＴ１、ＲＴ２）が前記資格証明データ（ＣＤ１、ＣＤ２）によって決定または使用され、前記第１ルーティングテーブル（ＲＴ１）が転送情報、特に前記第１宛先装置（ＤＮＳ１、ＳＩＰ１Ａ、ＳＩＰ１Ｂ、ＮＴＰ１）のアドレスを含み、前記第２ルーティングテーブル（ＲＴ２）が転送情報、特に前記少なくとも１つの第２宛先装置（ＤＮＳ２、ＳＩＰ２、ＮＴＰ２）のアドレスを含む、請求項４に記載の経路指定装置。
【請求項６】
前記転送手段（ＦＭ）が前記第１サービスプロバイダ（ＮＳＰ１）に割り当てられた第１仮想ルータ（ＶＲ１）および前記第２サービスプロバイダ（ＮＳＰ２）に割り当てられた第２仮想ルータ（ＶＲ２）を含み、前記転送手段（ＦＭ）が前記送信装置（ＵＤ１Ａ、ＵＤ１Ｂ、ＵＤ２）のユーザ（Ｕ１、Ｕ２）の前記資格証明データ（ＣＤ１、ＣＤ２）によって前記第１仮想ルータ（ＶＲ１）または前記第２仮想ルータ（ＶＲ２）に前記メッセージ（Ｍ１、Ｍ２）を転送することができる、請求項４に記載の経路指定装置。
【請求項７】
前記転送手段（ＦＭ）が前記エニーキャストアドレス（ＡＣ１、ＡＣ２、ＡＣ３）をそれぞれ決定された宛先装置のアドレス（ＡＤＮＳ１、ＡＤＮＳ２、ＡＳ１Ａ、ＡＳ１Ｂ、ＡＳ２、ＡＮＴＰ１、ＡＮＴＰ２）に置換もしくは変更することができ、かつ／またはそれぞれ決定された宛先装置に割り当てられたポート（Ｐ１、Ｐ２）を通じて前記メッセージ（Ｍ１、Ｍ２）を転送することができる、請求項１に記載の経路指定装置。
【請求項８】
アクセスネットワーク（ＡＮ）のアクセスマルチプレクサまたはエッジルータであることを特徴とする、請求項１に記載の経路指定装置。
【請求項９】
第１宛先装置および少なくとも１つの可能な第２宛先装置（ＤＮＳ２、ＳＩＰ２、ＮＴＰ２）がＤＮＳサーバ（ＤＮＳ＝ドメイン名システム）またはＳＩＰサーバ（ＳＩＰ＝セッション開始プロトコル）またはＮＴＰサーバ（ＮＴＰ＝ネットワーク時間プロトコル）を備える、請求項１に記載の経路指定装置。
【請求項１０】
アクセスネットワーク（ＡＮ）のための経路指定方法にして、経路指定装置（ＲＯ）が送信装置（ＵＤ１Ａ、ＵＤ１Ｂ、ＵＤ２）によって送信されるメッセージ（Ｍ１、Ｍ２）に対する宛先装置を決定し、前記メッセージ（Ｍ１、Ｍ２）が宛先装置のグループ（ＧＤＮＳ、ＧＳＩＰ、ＧＮＴＰ）内の第１宛先装置および少なくとも１つの可能な第２宛先装置（ＤＮＳ２、ＳＩＰ２、ＮＴＰ２）に割り当てられているエニーキャストアドレス（ＡＣ１、ＡＣ２、ＡＣ３）を含む経路指定方法であって、前記経路指定装置（ＲＯ）が前記宛先装置のグループ（ＧＤＮＳ、ＧＳＩＰ、ＧＮＴＰ）から前記第１宛先装置（ＤＮＳ１、ＳＩＰ１Ａ、ＳＩＰ１Ｂ、ＮＴＰ１）または前記少なくとも１つの可能な第２宛先装置（ＤＮＳ２、ＳＩＰ２、ＮＴＰ２）を割り当てデータ（ＡＤ）によって決定し、前記割り当てデータ（ＡＤ）が前記送信装置（ＵＤ１Ａ、ＵＤ１Ｂ、ＵＤ２）と前記メッセージ（Ｍ１、Ｍ２）に対する前記宛先装置とのリンク（ＬＩ１、ＬＩ２）を含むことを特徴とし、さらに前記割り当てデータ（ＡＤ）が資格証明データ（ＣＤ１、ＣＤ２）を含みかつ／または前記送信装置（ＵＤ１Ａ、ＵＤ１Ｂ、ＵＤ２）のユーザ（Ｕ１、Ｕ２）の資格証明データ（ＣＤ１、ＣＤ２）によって決定されることを特徴とする、経路指定方法。
【請求項１１】
経路指定装置（ＲＯ）のための経路指定モジュール（ＲＭ）であって、経路指定装置（ＲＯ）の処理装置によって実行可能なプログラムコードを備え、請求項１０の方法に従い経路指定装置（ＲＯ）が機能を実行することをプログラムコードの実行により実現することができる、経路指定モジュール。
【発明の詳細な説明】
【技術分野】
【０００１】
本発明は、アクセスネットワークのための経路指定装置、経路指定装置のための経路指定モジュールおよびアクセスネットワークのための経路指定方法に関する。
【背景技術】
【０００２】
知られているルータは、可能な経路指定戦略として、最短経路ツリー、例えばＯＳＰＦプロトコル（ＯＳＰＦ＝開放型最短経路優先）を計算するためのアルゴリズムを用いる。ＯＳＰＦプロトコルは、ネットワーク経路指定のためのリンク状態の階層的な内部ゲートウェイプロトコル（ＩＧＰ）である。
【０００３】
ルータは、リンクコストまたは近さの基準に従い、エニーキャストアドレスが割り当てられている最も近い宛先装置にインターネットプロトコルメッセージを転送する。そのため、様々なサービスプロバイダ、例えば、ネットワークサービスプロバイダまたはインターネットサービスプロバイダの加入者であるユーザによって所与のメッセージが送信された場合、ルータは、そのＯＳＰＦの動作に従い、あらゆるエニーキャストメッセージを、当該メッセージのエニーキャストアドレスを有する最も近い宛先装置に送信する。宛先装置は、例えば、ＤＮＳサーバ（ＤＮＳ＝ドメイン名システム）である。
【発明の概要】
【発明が解決しようとする課題】
【０００４】
本発明の目的は、エニーキャストアドレスを有するメッセージを、適切な、特にサービスプロバイダ指定の宛先装置に転送するための経路指定装置、経路指定モジュールおよび経路指定方法を提供することである。
【課題を解決するための手段】
【０００５】
この目的は、請求項１の教示に従い経路指定装置によって、さらなる独立請求項の教示に従い経路指定モジュールおよび方法によって、達成される。
【０００６】
経路指定装置は、例えば、アクセスネットワークの、特に集約ネットワークのアクセスマルチプレクサ、エッジルータである場合がある。
【０００７】
経路指定装置または経路指定モジュールは、経路指定装置の処理装置によって実行され得るプログラムコードを備えるソフトウェアであることも可能である。プログラムコードを処理することによって、経路指定装置、例えばネットワークノードは、上記のステップを実行することができる。プログラムモジュールは、例えば、仮想ルータモジュール、ルーティングテーブルなどを含んでよい。
【０００８】
本発明を明示する考えは、資格証明データ、例えば、認証情報および認可情報または加入データを、エニーキャストアドレスの決定の基礎として使用することである。資格証明データは、例えば、送信装置を関係する宛先装置へ割り当てるまたはリンクするための基礎である。この割り当ては資格証明データから推論または導出され得る。また、サーバは、資格証明データに基づいて割り当てデータを経路指定装置または経路指定モジュールに送信することができる。割り当てデータまたは情報が既に経路指定装置または経路指定モジュールに格納されていること、および、経路指定装置または経路指定モジュールが割り当てデータを起動する、または資格証明データに基づいて送信装置を可能なまたは好ましい宛先装置にリンクすることも可能である。
【０００９】
経路指定装置は、例えば、ある資格証明データを認証手続き中に保持してよい。この手続きは、例えば、ユーザのサービスプロバイダのネットワークにおける送信装置のユーザによるログインプロセスとして実行される。資格証明データおよび／または割り当てデータは、例えば、経路指定装置とＲＡＤＩＵＳサーバ（ＲＡＤＩＵＳ＝リモート認証ダイヤルインユーザサービス）との間で通信される。ＲＡＤＩＵＳサーバは、割り当てデータを経路指定装置に送信することができる。送信装置は、例えば、サーバプロバイダのサーバと結び付いている。サーバは、例えば、ＤＮＳサーバ、ＳＩＰサーバ、ＮＴＰサーバなどである（ＤＮＳ＝ドメイン名システム、ＳＩＰ＝セッション開始プロトコル、ＮＴＰ＝ネットワーク時間プロトコル）。経路指定装置またはルータモジュールは、当分野で知られているようにエニーキャストアドレスを有するメッセージを最も近いサーバに転送するのではなく、送信装置と結び付いたサーバにメッセージを送信する。
【００１０】
したがって、例えば、２つの送信装置が同じエニーキャストアドレスを有する経路指定装置または経路指定モジュール向けメッセージを送信することが可能である。経路指定装置は、同じエニーキャストアドレスを有する各メッセージを、それぞれ送信装置にリンクされている異なる宛先装置に送信する。経路指定装置は、各送信装置から事前に送信された資格証明データに基づき宛先装置を決定する。よって、経路指定装置は、第１送信装置によって送信された所与のエニーキャストアドレスを有するメッセージを、第１サービスプロバイダの第１宛先装置に転送する一方、経路設定装置は、第２送信装置によって送信された同じエニーキャストアドレスを有する第２メッセージを、第２サービスプロバイダの第２宛先装置に転送する。いずれの宛先装置も、同じ宛先装置のグループまたはタイプに属し、同じエニーキャストアドレスを有する。第１宛先装置と第２宛先装置とで、経路指定装置からの距離が異なる場合でも、経路指定装置は、本発明に従い第１送信装置もしくは第２送信装置または第１装置および第２装置のユーザがいわばリンクされている第１宛先装置または第２宛先装置に各メッセージを転送する。
【００１１】
用語「送信装置」は、送信装置、例えば、パーソナルコンピュータによって稼動する送信ソフトウェアモジュールも含むことがある。パーソナルコンピュータは、例えば、パーソナルコンピュータの第１ユーザおよび第２ユーザの第１送信モジュールおよび第２送信モジュールのプログラムコードを処理することができる。
【００１２】
用語「宛先装置のグループ」は、同じエニーキャストアドレスを有する宛先装置に関する。グループの宛先装置は、好ましくは同じ機能性、例えば、ドメイン名サービス機能、インターネット電話機能、リアルタイムその他のサービス、好ましくは通信ネットワークのサービスを提供する機能を有する。これらのサービスは、例えば、ナビゲーションサービス、コンテント提供サービスなども含んでよい。
【００１３】
経路指定装置または経路指定モジュールは、好ましくは第１ルーティングテーブルおよび少なくとも第２ルーティングテーブルを含む。ルーティングテーブルは、各サービスプロバイダに割り当てられる。経路指定装置は、第１ルーティングテーブルおよび少なくとも第２ルーティングテーブルを用いて、第１宛先装置または第２宛先装置を決定する。ルーティングテーブルは、例えば、宛先装置のアドレス情報を含む。また、ルーティングテーブルが転送情報として例えばエニーキャストアドレスを有するメッセージが転送される際に経由するポートに関するポート情報を含んでもよい。例えば、第１ポートは、可能な第１宛先装置専用である一方、第２ポートは少なくとも１つの可能な第２宛先ポートに割り当てられる。
【００１４】
本発明の好ましい実施形態は、経路指定装置、例えばその転送手段が、第１仮想ルータおよび少なくとも１つの第２仮想ルータを含む。第１仮想ルータおよび第２仮想ルータは、第１サービスプロバイダおよび第２サービスプロバイダに割り当てられる。メッセージが、例えば第１ユーザの第１送信装置によって送信された場合、第１仮想ルータは、それを第１サービスプロバイダの宛先装置に転送する。第２サービスプロバイダの加入者である第２ユーザの送信装置から、上述のメッセージと同じエニーキャストアドレスを有するメッセージが受信された場合、当該第２送信装置に割り当てられた第２仮想ルータは、メッセージを処理し、それを当該第２サービスプロバイダの適切な宛先装置に転送する。第１仮想ルータは第１ルーティングテーブルを使用してよく、少なくとも１つの第２仮想ルータは、少なくとも１つの第２ルーティングテーブルを用いてよい。
【００１５】
この関係では、本発明の経路指定戦略が失敗した場合または本発明の経路指定戦略に続いて、経路指定装置が知られた経路指定戦略を実行してよいことが強調される。例えば、本発明の概念に従って資格証明データに基づきエニーキャストアドレスを有するメッセージを転送できない場合、メッセージはＯＳＰＦ（ＯＳＰＦ＝開放型最短経路優先）に従って転送され得る。所与のサービスプロバイダの２つの宛先装置が同じエニーキャストアドレスを有することもあり得る。資格証明データに基づいて２つの可能な宛先装置を決定した後、経路指定装置または経路指定モジュールは、例えば、経路指定装置に最も近く、かつ／または可能な第２宛先装置よりも作業負荷が小さく、かつ／または処理能力などが高い宛先装置にメッセージを送ることができる。
【００１６】
経路指定装置または経路指定モジュールは、エニーキャストアドレスを、メッセージが送信されるべき宛先装置のアドレスに置換または変更してよい。経路指定装置は、エニーキャストアドレスを変更せず、各メッセージを、それぞれ決定された宛先装置に割り当てられたポートまたはそれぞれ決定された宛先装置が位置するネットワークに割り当てられたポートに転送することも可能である。
【００１７】
本発明は、添付の図面と合わせて行われるいくつかの実施形態に関する以下の説明を参照することにより一層理解されよう。
【図面の簡単な説明】
【００１８】
【図１】送信装置が経路指定装置を介してアクセスネットワークに接続されることを示す機能図である。
【図２】図１に従った経路指定装置を示す機能図である。
【図３】図２の経路指定装置の割り当てデータを示す図である。
【発明を実施するための形態】
【００１９】
通信ネットワークＮＷは、アクセスネットワークＡＮを介してサービスプロバイダＮＳＰ１、ＮＳＰ２の地域ネットワークＲＮ１、ＲＮ２と接続するユーザＵ１、Ｕ２のユーザネットワークまたはホームネットワークＨＮ１、ＨＮ２を含む。サービスプロバイダＮＳＰ１、ＮＳＰ２は、ネットワークサービスプロバイダ、例えば、インターネットサービスプロバイダである。
【００２０】
ユーザＵ１は、ユーザまたは送信装置ＵＤ１Ａ、ＵＤ１Ｂを有し、これらは、ホームネットワークＨＮ１のローカルルータＵＲを用いて接続Ｃ１を設定することができる。ルータＵＲは、アクセスネットワークＡＮの経路指定装置ＲＯに接続される。
【００２１】
次いで送信装置の役割を果たすユーザ装置ＵＤ２は、接続Ｃ２により経路指定装置ＲＯに接続される。
【００２２】
ユーザ装置ＵＤ１Ａ、ＵＤ１Ｂ、ＵＤ２は、例えば、パーソナルコンピュータ、ノートブック、ＰＤＡ（個人デジタルアシスタント）などである。
【００２３】
接続Ｃ１、Ｃ２は、デジタル加入者回線（ＤＳＬ）、電話回線などに設定される。
【００２４】
経路指定装置ＲＯは、例えば、アクセスネットワークＡＮのアクセスノードであり、より具体的には、アクセスネットワークＡＮＮの一部である集約ネットワークＡＧＧのアクセスノードである。経路指定装置は、例えば、アクセスマルチプレクサ、例えば、ＤＳＬＡＭ（デジタル加入者回線アクセスマルチプレクサ）であってよい。
【００２５】
アクセスネットワークＡＮＮは、ルータＲＯＵＸ、ＲＯＵ１、ＲＯＵ２を介して地域ネットワークＲＮ１、ＲＮ２に接続する。サービスプロバイダＳＩＰ１、ＮＳＰ２は、さらなるネットワーク、例えば、接続ＣＶ１、ＣＶ２を通じてインターネットへのアクセスを提供する。
【００２６】
サービスプロバイダＮＳＰ１、ＮＳＰ２のサービスを利用するために、ユーザＵ１のユーザ装置ＵＤ１Ａ、ＵＤ１Ｂおよび／またはローカルルータＵＲならびにユーザＵ２のユーザ装置ＵＤ２は、アクセスノードまたは経路設定装置ＲＯでログインする必要がある。ホームネットワークＡＮ１のログインまたは認証手続きは、ユーザＵ１の資格証明データＣＤ１、例えばいわゆるＡＡＡデータ（ＡＡＡ＝認証、認可、アカウンティング）が格納され得るルータＵＲによって実行される。ユーザＵ２の資格証明データＣＤ２は、ユーザ装置ＵＤ２に一部だけ格納され得る。ユーザＵＤ２は、経路指定装置ＲＯでのログイン手続き中に、少なくとも一部の資格証明データ、例えば、ユーザ名および／またはパスワードを入力する。
【００２７】
認証手続き中に、経路指定装置ＲＯは、接続ＲＤを介してＲＡＤＩＵＳサーバＲＡＤＳと通信する。ＲＡＤＩＵＳサーバＲＡＤＳは、集約ネットワークＡＧＧの一部である。ＲＡＤＩＵＳサーバ、例えば、第２ＲＡＤＩＵＳサーバＲＡＤ２が、集約ネットワークＡＮ内の異なる場所に位置することもあり、例えば、ＩＰエッジ装置ＥＤＧを介して経路指定装置ＲＯと通信してよい。
【００２８】
経路指定装置ＲＯは、認証、認可手続き中に通信される資格証明データＣＤ１、ＣＤ２を少なくとも部分的に評価および／または格納する。資格証明データＣＤ１、ＣＤ２は後に、以下の説明で明らかになるエニーキャストアドレスを転送する本発明による基礎である。
【００２９】
経路指定装置ＲＯは、資格証明データＣＤ１、ＣＤ２を用いて、ホームネットワークＨＮ１、ＨＮ２の装置によって適切な宛先装置向けに送信されるメッセージにとってふさわしいまたは適切な宛先装置を決定する。
【００３０】
経路指定装置ＲＯは、例えば、資格証明データＣＤ１、ＣＤ２に基づいてホームネットワークＨＮ１およびＨＮ２に入力ポートＩＮ１、ＩＮ２を割り当てる。
【００３１】
経路指定装置ＲＯは、割り当てデータＡＤが格納される記憶装置ＭＥＭをさらに備える。割り当てデータは、資格証明データＣＤ１、ＣＤ２と地域ネットワークＲＮ１、ＲＮ２に含まれる宛先装置ＤＮＳ１、ＳＩＰ１Ａ、ＳＩＰ１Ｂ、ＮＴＰ１、ＤＮＳ２、ＳＩＰ２、ＮＴＰ２との間のリンクＬＩ１、ＬＩ２を含む。
【００３２】
割り当てデータＡＤは、例えば、ルーティングテーブルＲＴ１、ＲＴ２を含む。ルーティングテーブルＲＴ１では、エニーキャストアドレスＡＣ１、例えば、インターネットアドレスは、リンクＬＩ１を通じてＤＮＳサーバＤＮＳ１のアドレスＡＤＮＳ１にリンクされる。エニーキャストアドレスＡＣ１は、概ね同じ機能を有する宛先装置のグループ、特にサービスプロバイダＮＳＰ１、ＮＳＰ２のＤＮＳサーバＤＮＳ１、ＤＮＳ２を備えるグループＧＤＮＳに割り当てられる。
【００３３】
エニーキャストアドレスＡＣ１は、様々な種類のエニーキャストアドレス用に確保されたインターネットプロトコル第６版のアドレス範囲内のアドレスであってよい。さらに、第２エニーキャストアドレスＡＣ２は、地域ネットワークＲＮ１のＳＩＰサーバＳ１Ａ、Ｓ１ＢのアドレスＡＳ１Ａ、ＡＳ１Ｂにリンクされる（ＳＩＰ＝セッション開始プロトコル）。
【００３４】
第３エニーキャストアドレスＡＣ３は、地域ネットワークＲＮ２のＮＴＰサーバＮＴＰ１のアドレスＡＮＴＰ１にリンクされる（ＮＴＰ＝ネットワーク時間プロトコル）。
【００３５】
ルーティングテーブルＲＴ２では、資格証明データＣＤ２は、リンクＬＩ２を介して、地域ネットワークＲＮ２のＤＮＳサーバＤＮＳ２、ＳＩＰサーバＳＩＰ２、ＮＴＰサーバＮＴＰ２のアドレスＡＤＮＳ２とＡＮＴＰ２にリンクされる。
【００３６】
ＳＩＰサーバＳＩＰ１Ａ、ＳＩＰ１ＢおよびＳＩＰ２は、ユーザＵ１、Ｕ２のホームネットワークＨＮ１、ＨＮ２に対するＳＩＰインターネット電話サービスを実行する。ＳＩＰサーバＳＩＰ１Ａ、ＳＩＰ１ＢおよびＳＩＰ２は、同じエニーキャストアドレスＡＣ２を有するＳＩＰサーバのグループＧＳＩＰに属する。
【００３７】
ＮＴＰサーバＮＴＰ１、ＮＴＰ２は、同じエニーキャストアドレスＡＣ３を有し、ＮＴＰサーバのグループＧＮＴＰに属する。
【００３８】
グループＧＮＴＰ、ＧＳＩＰおよびＧＤＮＳは、ネットワークプロバイダＮＳＰ１、ＮＳＰ２の、またはさらなる地域ネットワークおよび／もしくはサービスプロバイダ（図示せず）のサーバをさらに含んでよい。
【００３９】
ホームネットワークＨＮ１、例えば、ユーザ装置ＵＤ１ＡまたはＵＤ１Ｂは、メッセージＭ１、例えば、エニーキャストアドレスＡＣ１を有するＵＤＰまたはＴＣＰメッセージ（ＵＤＰ＝ユーザデータグラムプロトコル、ＴＣＰ＝伝送制御プロトコル）を、経路指定装置ＲＯに送信する。経路指定装置ＲＯは、入力ポートＩＮ１でメッセージＭ１を受信する。転送手段ＦＭ、例えば、経路指定装置ＲＯの処理装置ＰＲによって実行可能なプログラムコードを備えたソフトウェアは、ポートＩＮ１で受信したメッセージを仮想ルータＶＲ１に転送する。
【００４０】
仮想ルータＶＲ１は、資格証明データＣＤ１に従いホームネットワークＨＮ１に割り当てられる。仮想ルータＶＲ１は、ポートＰ１を介して、インターネットサービスプロバイダＮＳＰ１の地域ネットワークＲＮ１にメッセージＭ１を転送する。エニーキャストアドレスＡＣ１は変わらなくてよい。ポートＰ１は、地域ネットワークＲＮ１専用である。ルータＲＯＵＸ、ＲＯＵ１は、エニーキャストアドレスＡＣ１をさらに分析した後、ドメイン名サーバまたは宛先装置ＤＮＳ１にメッセージＭ１を転送する。
【００４１】
経路指定装置ＲＯは、エニーキャストアドレスＡＣ１をＤＮＳサーバＤＮＳ１のアドレスＡＤＮＳ１に置き換えることも可能である。そうすれば、専用ポートＰ１は必要ではない。経路指定装置ＲＯは、このシナリオでは、地域ネットワークＲＮ１に接続されたあらゆるポート、例えばポートＰＸを介して、メッセージＭ１を転送することができる。ルータＲＯＵＸ、ＲＯＵ１は、メッセージＭ１にエニーキャストアドレスＡＣ１の代わりに含まれるアドレスＡＤＮＳ１に基づいて、ドメイン名サーバまたは宛先装置ＤＮＳ１にメッセージＭ１を転送する。
【００４２】
しかしながら、同じエニーキャストアドレスＡＣ１を有するメッセージＭ２がユーザ装置ＵＤ２によって送信された場合、経路指定装置ＲＯは入力ポートＩＮ２でメッセージＭ２を受信する。それに応じて、転送手段ＦＭはメッセージＭ２を仮想ルータＶＲ２に転送し、次いでＶＲ２は、ポートＰ２を介して、地域ネットワークＲＮ２にメッセージＭ２を転送する。
【００４３】
ルーティングテーブルＲＴ１、ＲＴ２を仮想ルータＶＲ１、ＶＲ２に割り当ててよい。
【００４４】
単一経路指定モジュールＳＭが処理装置ＰＲによって実行されること、およびこのモジュールＳＭがメッセージの発信元により、ルーティングテーブルＲＴ１またはルーティングテーブルＲＴ２のいずれかを用いて、宛先装置ＤＮＳ１、ＤＮＳ２またはＮＴＰ１、ＮＴＰ２またはＳＩＰサーバＳＩＰ１Ａ、ＳＩＰ１ＢもしくはＳＩＰ２にメッセージを転送することも可能である。モジュールＳＭは、例えば、メッセージＭ１に含まれるローカルルータＵＲの発信元アドレスＬＡに基づいてメッセージＭ１の発信元を判断することができる。
【００４５】
ユーザＵ１がインターネット電話サービスを要求した場合、ユーザ装置ＵＤ１Ａは、例えば、エニーキャストアドレスＡＣ２を含むメッセージＭ３を経路指定装置ＲＯに送信する。それに応じて、経路指定装置ＲＯは、メッセージＭ３をＳＩＰサーバＳＩＰ１ＡまたはＳＩＰ１Ｂのいずれかに転送する。経路指定装置ＲＯは、他の基準により適切なＳＩＰサーバＳＩＰ１Ａ、ＳＩＰ１Ｂを選択することができ、例えば、ＳＩＰサーバＳＩＰ１Ａよりも経路指定装置ＲＯに近いＳＩＰサーバＳＩＰ１Ｂを選択することができる。経路指定装置ＲＯは、エニーキャストアドレスＡＣ１を、ＳＩＰサーバＳＩＰ１ＢのアドレスＡＳ１Ｂに置き換えることができる。
【００４６】
経路指定装置ＲＯは、変化していないエニーキャストアドレスＡＣ２を有するメッセージＭ３を転送することも可能である。次いで、地域ネットワークＲＮ１のルータ、例えばルータＲＯＵ１は、他の基準、例えば、リンクコストまたは近さの基準によって、ＳＩＰサーバＳＩＰ１ＡまたはＳＩＰ１ＢのいずれかにメッセージＭ３を転送する。
【００４７】
しかしながら、同じエニーキャストアドレスＡＣ１を有するメッセージＭ４がホームネットワークＨＮ２から送信された場合、経路指定装置ＲＯは、ルーティングテーブルＲＴ２に従ってＳＩＰサーバＳＩＰ２にメッセージＭ４を転送する。
【００４８】
ルーティングテーブルＲＴ１、ＲＴ２は、ＲＡＤＩＵＳサーバＲＡＤＳ、ＲＡＤ２によって経路指定装置ＲＯに送信され得る。本発明に従い、各サービスプロバイダの特殊サーバがルーティングテーブルを経路指定装置に送信することも可能である。例えば、地域ネットワークＲＮ１および／またはサービスプロバイダＮＳＰ１のサーバＲＴＳ１は、ルーティングテーブルＲＴ１を経路指定装置ＲＯに送信する。
【符号の説明】
【００４９】
ＡＣ１、ＡＣ２、ＡＣ３        エニーキャストアドレス
ＡＤ                          割り当てデータ
ＡＤＮＳ１                    ＤＮＳ１のアドレス
ＡＤＮＳ２                    ＤＮＳ２のアドレス
ＡＧＧ                        集約ネットワーク
ＡＮ                          アクセスネットワーク
ＡＮＴＰ１                    ＮＴＰ１のアドレス
ＡＮＴＰ２                    ＮＴＰ２のアドレス
ＡＳ１Ａ                      ＳＩＰ１Ａのアドレス
ＡＳ１Ｂ                      ＳＩＰ１Ｂのアドレス
ＡＳ２                        ＳＩＰ２のアドレス
ＣＤ１、ＣＤ２                資格証明データ
ＣＶ１、ＣＶ２                接続
Ｃ１、Ｃ２                    接続
ＤＮＳ１                      ＮＳＰ１のＤＮＳサーバ
ＤＮＳ２                      ＮＳＰ２のＤＮＳサーバ
ＥＤＧ                        エッジ装置
ＦＭ                          転送手段
ＧＤＮＳ、ＧＳＩＰ、ＧＮＴＰ  宛先装置のグループ
ＩＮ１、ＩＮ２                入力ポート
ＮＳＰ１、ＮＳＰ２            インターネットサービスプロバイダおよびネットワークサービスプロバイダ
ＬＩ１、ＬＩ２                リンク
Ｍ１、Ｍ２                    メッセージ
ＭＥＭ                        記憶装置
ＮＴＰ１                      ＮＳＰ１のＮＴＰサーバ
ＮＴＰ２                      ＮＳＰ２のＮＴＰサーバ
ＮＷ                          通信ネットワーク
Ｐ１、Ｐ２                    ポート
ＰＲ                          処理装置
ＲＡＤＳ                      ＲＡＤＩＵＳサーバ
ＲＭ                          経路指定モジュール
ＲＮ１、ＲＮ２                地域ネットワーク
ＲＯ                          経路指定装置
ＲＯＵＸ、ＲＯＵ１、ＲＯＵ２  ルータ
ＳＤ                          加入データ
ＳＩＰ１Ａ                    ＮＳＰ１のＳＩＰサーバ
ＳＩＰ１Ｂ                    ＮＳＰ１のＳＩＰサーバ
ＳＩＰ２                      ＮＳＰ２のＳＩＰサーバ
Ｕ１、Ｕ２                    ユーザ
ＵＤ１Ａ、ＵＤ１Ｂ、ＵＤ２    送信装置  ユーザ装置
ＵＲ                          ルータ
ＶＲ１、ＶＲ２                仮想ルータ
【図１】
2009545902.tif 000003
【図２】
2009545902.tif 000004
【図３】
2009545902.tif 000005
【国際調査報告】
2009545902.tif 000006
2009545902.tif 000007
2009545902.tif 000008